(57)【要約】【課題】組上げ状態として上方の開口側から収納対象物を投げ入れるように収納箱内に収納対象物を収納する作業をおこなったときに、展開状態で平面視略四角形に形成される従来のものに比べて、より確実に収納箱内に収納対象物を収納することができる収納箱兼用マットを提供することを課題とする。【解決手段】四角形に形成される底板部１１と、四角形に形成され、底板部１１を囲むように底板部１１の四方に配置されるとともに底板部１１に連接される四個の側板部１２と、三角形に形成され、底板部１１を囲むように配置されるとともに隣接する側板部１２・１２同士を連結するように配置される四個の連結部１３と、を備え、展開状態では平面視略八角形に形成されるものであり、連結部１３が側板部１２の内側に配置されるように側板部１２をそれぞれ起立させることにより、展開状態から組上げ状態とすることができるように構成される収納箱兼用マット１とする。【選択図】図１
0003172022.tif 000002
【実用新案登録請求の範囲】
【請求項１】
展開状態では、マットとして使用することができ、組上げ状態では、上方が開口する箱状に形成されてその内部に収納対象物を収納可能な収納箱として使用することができるように構成される、収納箱兼用マットであって、
四角形に形成される底板部と、
四角形に形成され、前記底板部を囲むように前記底板部の四方に配置されるとともに前記底板部に連接される、四個の側板部と、
三角形に形成され、前記底板部を囲むように配置されるとともに前記隣接する側板部同士を連結するように配置される、四個の連結部と、を備え、
前記展開状態では、平面視略八角形に形成されるものであり、
前記四つの連結部が前記側板部の内側に配置されるように前記四つの側板部をそれぞれ起立させることにより、前記展開状態から前記組上げ状態とすることができるように構成される、
収納箱兼用マット。
【請求項２】
前記底板部および前記四個の側板部に芯部材がそれぞれ設けられる、
請求項１に記載の収納箱兼用マット。
【請求項３】
前記芯部材は、ウレタン素材からなる板状の部材で構成される、
請求項２に記載の収納箱兼用マット。
【請求項４】
前記底板部と前記側板部との境界部分および前記連結部は、前記底板部および前記側板部よりも折曲がり易く構成される、
請求項１から請求項３のいずれか一項に記載の収納箱兼用マット。
【請求項５】
前記底板部の下面に収納箱兼用マットが滑ることを防止する、滑止め部材を備える、
請求項１から請求項４のいずれか一項に記載の収納箱兼用マット。
【請求項６】
前記展開状態における前記収納箱兼用マットの上面と下面とを貫通するように形成される、複数個の紐通し孔と、
前記紐通し孔のうち隣接する紐通し孔に順次通されて、前記紐通し孔を縫うように配置される、紐部材と、を備える、
請求項１から請求項５のいずれか一項に記載の収納箱兼用マット。
【請求項７】
前記紐通し孔は、前記側板部における隣接する二つの前記連結部とのそれぞれの境界部分の近傍、および、前記連結部における隣接する二つの前記側板部とのそれぞれの境界部分の近傍、にそれぞれ形成され、
前記紐部材は、前記展開状態では、前記側板部と前記連結部との境界の上方を亘るように配置され、前記組上げ状態では、前記側板部の内側において前記側板部と前記連結部との境界の側方を亘るように配置される、
請求項６に記載の収納箱兼用マット。
【請求項８】
前記紐通し孔は、前記収納箱兼用マットにおける縁部の近傍に配置される、
請求項６または請求項７に記載の収納箱兼用マット。
【考案の詳細な説明】
【技術分野】
【０００１】
本考案は、収納箱兼用マットの技術に関する。
【背景技術】
【０００２】
従来、展開状態では、マットとして使用することができ、組上げ状態では、上方が開口する箱状に形成されてその内部に収納対象物を収納可能な収納箱として使用することができるように構成される、収納箱兼用マットの技術は公知となっている（特許文献１参照）。
当該収納箱兼用マットは、例えば、展開状態では、マットの上に子供が座っておもちゃで遊び、また、組上げ状態では、前記おもちゃ（収納対象物）を収納箱に収納するようにして使用される。
【０００３】
また、当該収納箱兼用マットは、一個の底板部と、四個の側板部と、四個の連結部と、を備えて構成され、展開状態では、平面視略四角形に形成される。
そして、当該収納箱兼用マットは、四つの連結部がその角と底板部の角とを結ぶ仮想の線で山折りにされて側板部の内側に配置されるように四つの側板部をそれぞれ起立させることにより、展開状態（マット）から組上げ状態（収納箱）とすることができるように構成される。
【先行技術文献】
【特許文献】
【０００４】
【特許文献１】特開２００１−３２１２１４号公報
【考案の概要】
【考案が解決しようとする課題】
【０００５】
しかしながら、当該収納箱兼用マットの組上げ状態では、連結部の上端部（連結部における側板部と連接されていない辺）が収納箱の上方の開口と略同じ高さになるように配置される。また、このような収納箱兼用マットの組上げ状態では、収納箱内において連結部が内側に大きく突出するように配置される。
ここで、当該収納箱兼用マットでは、組上げ状態として収納箱内に収納対象物を収納する作業をおこなうときに、収納箱の上方の開口側から収納箱内に収納対象物を投げ入れるように当該作業がおこなわれる場合がある。
そして、当該収納箱兼用マットでは、このように組上げ状態として上方の開口側から収納対象物を投げ入れるように収納箱内に収納対象物を収納する作業をおこなうと、収納対象物が連結部の上端部に当接して収納箱外に弾かれる場合がある。また、当該収納箱兼用マットでは、組上げ状態として上方の開口側から収納対象物を投げ入れるように収納箱内に収納対象物を収納する作業をおこなうと、収納対象物が、前記山折りにされることによって形成される連結部間の隙間にその上端部側から入り込む場合がある。
このように、当該収納箱兼用マットでは、組上げ状態として上方の開口側から収納対象物を投げ入れるように収納箱内に収納対象物を収納する作業をおこなったときに、収納箱内に収納されない場合がある。
【０００６】
本考案は以上の如き状況に鑑みてなされたものであり、組上げ状態として上方の開口側から収納対象物を投げ入れるように収納箱内に収納対象物を収納する作業をおこなったときに、展開状態で平面視略四角形に形成される従来の収納箱兼用マットに比べて、より確実に収納箱内に収納対象物を収納することができる収納箱兼用マットを提供することを課題とする。
【課題を解決するための手段】
【０００７】
本考案の解決しようとする課題は以上の如くであり、次にこの課題を解決するための手段を説明する。
【０００８】
即ち、請求項１においては、展開状態では、マットとして使用することができ、組上げ状態では、上方が開口する箱状に形成されてその内部に収納対象物を収納可能な収納箱として使用することができるように構成される、収納箱兼用マットであって、四角形に形成される底板部と、四角形に形成され、前記底板部を囲むように前記底板部の四方に配置されるとともに前記底板部に連接される、四個の側板部と、三角形に形成され、前記底板部を囲むように配置されるとともに前記隣接する側板部同士を連結するように配置される、四個の連結部と、を備え、前記展開状態では、平面視略八角形に形成されるものであり、前記四つの連結部が前記側板部の内側に配置されるように前記四つの側板部をそれぞれ起立させることにより、前記展開状態から前記組上げ状態とすることができるように構成されるものである。
【０００９】
請求項２においては、前記底板部および前記四個の側板部に芯部材がそれぞれ設けられるものである。
【００１０】
請求項３においては、前記芯部材は、ウレタン素材からなる板状の部材で構成されるものである。
【００１１】
請求項４においては、前記底板部と前記側板部との境界部分および前記連結部は、前記底板部および前記側板部よりも折曲がり易く構成されるものである。
【００１２】
請求項５においては、前記底板部の下面に収納箱兼用マットが滑ることを防止する、滑止め部材を備えるものである。
【００１３】
請求項６においては、前記展開状態における前記収納箱兼用マットの上面と下面とを貫通するように形成される、複数個の紐通し孔と、前記紐通し孔のうち隣接する紐通し孔に順次通されて、前記紐通し孔を縫うように配置される、紐部材と、を備えるものである。
【００１４】
請求項７においては、前記紐通し孔は、前記側板部における隣接する二つの前記連結部とのそれぞれの境界部分の近傍、および、前記連結部における隣接する二つの前記側板部とのそれぞれの境界部分の近傍、にそれぞれ形成され、前記紐部材は、前記展開状態では、前記側板部と前記連結部との境界の上方を亘るように配置され、前記組上げ状態では、前記側板部の内側において前記側板部と前記連結部との境界の側方を亘るように配置されるものである。
【００１５】
請求項８においては、前記紐通し孔は、前記収納箱兼用マットにおける縁部の近傍に配置されるものである。
【考案の効果】
【００１６】
本考案の効果として、以下に示すような効果を奏する。
【００１７】
即ち、本考案によれば、組上げ状態として上方の開口側から収納対象物を投げ入れるように収納箱内に収納対象物を収納する作業をおこなったときに、展開状態で平面視略四角形に形成される従来のものに比べて、より確実に収納箱内に収納対象物を収納することができる。
【図面の簡単な説明】
【００１８】
【図１】本考案の第一実形態に係る展開状態における収納箱兼用マットの全体的な構成を示した平面図。
【図２】同じく底面図。
【図３】同じく正面図。
【図４】同じく左側面図。
【図５】本考案の第一実形態に係る組上げ状態における収納箱兼用マットの全体的な構成を示した斜視図。
【図６】本考案の第一実形態に係る収納箱兼用マットを組上げる状態を示した正面図。
【図７】本考案の第一実形態に係る組上げ状態における収納箱兼用マットの一部拡大平面図。
【図８】本考案の第二実施形態に係る展開状態における収納箱兼用マットの全体的な構成を示した平面図。
【図９】同じく底面図。
【図１０】同じく正面図。
【図１１】同じく左側面図。
【図１２】本考案の第二実形態に係る組上げ状態における収納箱兼用マットの全体的な構成を示した斜視図。
【考案を実施するための形態】
【００１９】
次に、本考案の第一実施形態に係る収納箱兼用マット１について、図１から図７を用いて説明する。
【００２０】
収納箱兼用マット１は、展開状態では、マットとして使用することができ、組上げ状態では、上方が開口する箱状に形成されてその内部に収納対象物を収納可能な収納箱として使用することができるように構成されるものである。
収納箱兼用マット１は、例えば、展開状態では、マットの上に子供が座っておもちゃで遊び、また、組上げ状態では、前記おもちゃ（収納対象物）を収納箱に収納するようにして使用される。
収納箱兼用マット１は、図１乃至図４に示すように、展開状態では、平面視略八角形に形成される。また、収納箱兼用マット１は、図５に示すように、組上げ状態では、一つの底板と四つの側板とを有するとともに上方が開口する箱状に形成される。
【００２１】
収納箱兼用マット１は、図１乃至図５に示すように、一個の底板部１１と、四個の側板部１２・１２・・・と、四個の連結部１３・１３・・・と、を備えて構成される。
【００２２】
収納箱兼用マット１の底板部１１は、展開状態では、平面視四角形に形成される。
収納箱兼用マット１の底板部１１は、組上げ状態では、収納箱の底板として構成される。
【００２３】
収納箱兼用マット１の側板部１２は、展開状態では、平面視四角形に形成される。
収納箱兼用マット１の側板部１２は、組上げ状態では、収納箱の側板として構成される。
収納箱兼用マット１の側板部１２は、底板部１１に連接される。収納箱兼用マット１の側板部１２・１２・・・は、これらで底板部１１を囲むように底板部１１の四方に配置される。収納箱兼用マット１の側板部１２・１２・・・は、底板部１１の四つの辺の各辺の外側に一つずつ配置される。収納箱兼用マット１の側板部１２は、その四つの辺のうち一つの辺が底板部１１の四つの辺のうち一つの辺に連接されるようにして、配置される。
【００２４】
収納箱兼用マット１の連結部１３は、展開状態では、平面視三角形（二等辺三角形）に形成される。
収納箱兼用マット１の連結部１３は、底板部１１に連接される。収納箱兼用マット１の連結部１３・１３・・・は、これらで底板部１１を囲むように配置される。収納箱兼用マット１の連結部１３は、隣接する側板部１２・１２同士を連結するように配置される。収納箱兼用マット１の連結部１３は、その三つの辺のうち二つの辺が、隣接する側板部１２・１２のうち一方の側板部１２の辺と他方の側板部１２の辺とにそれぞれ連接されるようにして、配置される。
【００２５】
このように構成される収納箱兼用マット１の展開状態では、側板部１２・１２・・・における底板部１１および連結部１３・１３・・・に連接されていない辺と、連結部１３・１３・・・における側板部１２・１２・・・と連接されていない辺と、で、平面視略八角形となるような収納箱兼用マット１の外形が形成される。
そして、収納箱兼用マット１は、図６に示すように、四つの連結部１３・１３・・・が側板部１２・１２・・・の内側（収納箱の内側）に配置されるように四つの側板部１２・１２・・・をそれぞれ起立させることにより、展開状態（マット）から組上げ状態（収納箱）とすることができるように構成される。
このとき、収納箱兼用マット１の連結部１３は、その一方の側板部１２に連接される辺および他方の側板部１２に連接される辺をそれぞれ谷折りにするとともに、側板部１２に連接されていない辺の中央と底板部１２の角とを結ぶ仮想の線で山折りにされるようにして、側板部１２・１２・・・の内側に配置される。収納箱兼用マット１の連結部１３は、その一方の側板部１２に連接される辺と他方の側板部１２に連接される辺とを重ね合わせるとともに側板部１２に連接されていない辺を二つ折りにして、側板部１２・１２・・・の内側に配置される（図７参照）。
【００２６】
さらに、収納箱兼用マット１の組上げ状態では、連結部１３の上端部（連結部１３の側板部１２と連接されていない辺）が収納箱の外側から中心側にいくに従ってその上方の開口から下方に下がるように配置される。
したがって、収納箱兼用マット１によれば、組上げ状態として上方の開口側から収納対象物を投げ入れるように収納箱内に収納対象物を収納する作業をおこなったときに、展開状態で平面視略四角形に形成される収納箱兼用マットに比べて、収納対象物が連結部１３の上端部に当接して収納箱外に弾かれることを抑制することができる。
【００２７】
また、収納箱兼用マット１は展開状態で平面視略八角形に形成されるため、展開状態で平面視略四角形のものよりも連結部１３が小さく構成される。このため、収納箱兼用マット１の収納状態では、展開状態で平面視略四角形に形成される収納箱兼用マットに比べて、連結部１３が収納箱内において内側に突出しないように配置される。
したがって、収納箱兼用マット１によれば、組上げ状態として上方の開口側から収納対象物を投げ入れるように収納箱内に収納対象物を収納する作業をおこなったときに、展開状態で平面視略四角形に形成される収納箱兼用マットに比べて、収納対象物が前記山折りにされることによって形成される連結部１３間の隙間に連結部１３の上端部側から入り込むことを抑制することができる。
【００２８】
以上のように収納箱兼用マット１によれば、組上げ状態として上方の開口側から収納対象物を投げ入れて収納箱内に収納対象物を収納する作業をおこなったときに、展開状態で平面視略四角形に形成される収納箱兼用マットに比べて、より確実に収納箱内に収納対象物を収納することができる。
【００２９】
収納箱兼用マット１は、底板部１１および四個の側板部１２・１２・・・に、それぞれ芯部材２１・２１・・・が設けられて構成される。収納箱兼用マット１の芯部材２１は、組上げ状態（収納箱）としたときに、底板部１１および四個の側板部１２・１２・・・のそれぞれの形状を板状にそれぞれ保持可能に構成される。
このように収納箱兼用マット１が構成されることにより、組上げ状態としたときに、底板部１１および四個の側板部１２・１２・・・のそれぞれの形状が板状に保持されて、収納箱兼用マット１を箱状（一つの底板と四つの側板とを有するとともに上方が開口する箱状）に保持することができる。
【００３０】
収納箱兼用マット１は、平面視八角形からなる二枚のシート状の部材の縁部を縫合わせるようにして構成される。収納箱兼用マット１は、底板部１１と側板部１２とを区画するとともに側板部１２と連結部１３とを区画するように、底板部１１と側板部１２との境界部分、および、側板部１２と連結部１３との境界部分に、前記二枚のシート状の部材を縫い合わせるようにして（ミシン目が入れられて）構成される。
このようにして、収納箱兼用マット１の底板部１１および側板部１２は、袋状に構成される。
また、収納箱兼用マット１の芯部材２１は、ウレタン素材からなる板状の部材で構成される。収納箱兼用マット１の芯部材２１は、底板部１１内または側板部１２内にそれぞれ配置される。収納箱兼用マット１の芯部材２１は、展開状態において平面視で底板部１１または側板部１２よりも若干小さく形成される。
このように収納箱兼用マット１の芯部材２１が構成されることにより、展開状態として底板部１１の上または側板部１２の上に座ったときの座り心地を良好なものとすることができる。
【００３１】
またこのように、収納箱兼用マット１の底板部１１と側板部１２との境界部分および連結部１３には芯部材２１が配置されないため、底板部１１と側板部１２との境界部分および連結部１３は、底板部１１と側板部１２よりも折曲がり易く構成される。
このため、収納箱兼用マット１によれば、底板部１１および四個の側板部１２・１２・・・に芯部材２１・２１・・・が設けられる構成であっても、容易に展開状態から組上げ状態とすることができる。
【００３２】
収納箱兼用マット１は、滑止め部材２２を備える。
収納箱兼用マット１の滑止め部材２２は、収納箱兼用マット１が滑ることを防止するものである。収納箱兼用マット１の滑止め部材２２は、複数個の点状に形成されるゴム素材で構成されるものであり、底板部１１の下面に配置される。
このように収納箱兼用マット１が構成されることにより、例えば、展開状態としてマットの上に座ったときに、収納箱兼用マット１が滑ることを抑制することができる。
【００３３】
収納箱兼用マット１は、二つの取っ手２３・２３を備える。
収納箱兼用マット１の二つの取っ手２３・２３は、四個の側板部１２・１２・・・のうち対向する二個の側板部１２・１２の縁部にそれぞれ配置される。
また、収納箱兼用マット１は、連結部１３・１３・・・が前記山折りにされた状態を保持する不図示の留め具（例えば、面ファスナ、または、釦等）が連結部１３・１３・・・に設けられて、組上げ状態（四つの側板部１２・１２・・・をそれぞれ起立させた状態）を保持可能に構成される。
【００３４】
次に、本考案の第二実施形態に係る収納箱兼用マット１について、図８から図１２を用いて説明する。
なお、第二実施形態に係る収納箱兼用マット１の説明においては、第一実施形態に係る収納箱兼用マット１の説明と同一の部分については適宜その説明を省略し、これと異なる部分を中心に説明する。
【００３５】
収納箱兼用マット１は、図８乃至図１２に示すように、複数個の紐通し孔１４・１４・・・と、紐部材３１と、を備える。
【００３６】
収納箱兼用マット１の紐通し孔１４は、紐部材３１が通される孔であり、収納箱兼用マット１の一方の面と他方の面と（展開状態における収納箱兼用マット１の上面と下面と）を貫通するように形成される。
収納箱兼用マット１の紐通し孔１４は、四個の側板部１２・１２・・・、および、四個の連結部１３・１３・・・に、それぞれ形成される。収納箱兼用マット１の紐通し孔１４は、四個の側板部１２・１２・・・、および、四個の連結部１３・１３・・・に、二つずつ形成される。
【００３７】
収納箱兼用マット１の紐部材３１は、紐状の部材である。
収納箱兼用マット１の紐部材３１は、複数個の紐通し孔１４・１４・・・のうち隣接する紐通し孔１４・１４に順次通されて紐通し孔１４・１４・・・を縫うように配置される。
【００３８】
このように構成される収納箱兼用マット１では、展開状態から組上げ状態とするときに、紐部材３１を引張ってその紐通し孔１４・１４・・・を縫うように配置される部分の長さを短くしていき、四個の側板部１２・１２・・・同士（四個の側板部１２・１２・・・におけるそれぞれの底板部１１および連結部１３・１３・・・に連接されていない辺同士）を近接させていく。
このようにして、収納箱兼用マット１では、紐部材３１を引張って収納箱兼用マット１の縁部を絞り込むようにして四つの側板部１２・１２・・・を同時に起立させていき、展開状態から組上げ状態とすることができる（図１２参照）。
したがって、収納箱兼用マット１によれば、展開状態から組上げ状態とするときに側板部１２・１２・・・を一つずつ起立させる構成のものに比べて、展開状態から組上げ状態とする作業をより容易におこなうことができる。
【００３９】
収納箱兼用マット１の紐通し孔１４・１４・・・は、側板部１２における隣接する二つの前記連結部１３・１３とのそれぞれの境界部分の近傍、および、前記連結部１３における隣接する二つの前記側板部１２・１２とのそれぞれの境界部分の近傍、にそれぞれ形成される。
収納箱兼用マット１の紐部材３１は、展開状態では、側板部１２と連結部１３との境界の上方を亘るように配置される。収納箱兼用マット１の紐部材３１は、組上げ状態では、側板部１２の内側において側板部１２と連結部１３との境界の側方を亘るように配置される。
【００４０】
このように構成される収納箱兼用マット１の展開状態では（マットとして使用するときには）、収納箱兼用マット１の上面側に位置する紐部材３１を少なくすることができる。したがって、収納箱兼用マット１によれば、展開状態としてマットの上に座って遊ぶときに紐部材３１が邪魔になることを抑制することができる。
また、このように構成される収納箱兼用マット１の組上げ状態では（収納箱として使用するときには）、側板部１２・１２・・・の内側に位置する紐部材３１を少なくすることができる。したがって、収納箱兼用マット１によれば、組上げ状態として上方の開口側から収納対象物を投げ入れて収納箱内に収納対象物を収納する作業をおこなっても、当該収納対象物が収納箱の内側において紐部材３１に引掛ることを抑制することができる。
【００４１】
収納箱兼用マット１の紐通し孔１４・１４・・・は、収納箱兼用マット１における縁部（側板部１２における底板部１１および連結部１３に連接されていない辺、または、連結部１３における側板部１２と連接されていない辺）の近傍に配置される。
このように構成される収納箱兼用マット１の展開状態では（マットとして使用するときには）、収納箱兼用マット１における中央部には紐部材３１が配置されないため、展開状態としてマットの中央部の上に座って遊ぶときに紐部材３１が邪魔になることを抑制することができる。
また、このように構成される収納箱兼用マット１では、紐部材３１を引張って展開状態から組上げ状態とするときに、中央部に紐部材３１が配置される収納箱兼用マットに比べて、より容易に側板部１２・１２・・・を起立させることができる。したがって、収納箱兼用マット１によれば、中央部に紐部材３１が配置される収納箱兼用マットに比べて、展開状態から組上げ状態とする作業をより容易におこなうことができる。
【００４２】
収納箱兼用マット１は、紐部材３１に紐ストッパ３２が設けられて、組上げ状態（四つの側板部１２・１２・・・をそれぞれ起立させた状態）を保持可能に構成される。収納箱兼用マット１の紐ストッパ３２は、前記紐部材３１を引張ってその紐通し孔１４・１４・・・を縫うように配置される部分の長さを短くした状態を保持可能に構成されるものである。
また、収納箱兼用マット１では、紐ストッパ３２が紐部材３１から脱落しないように、紐部材３１の両端部をそれぞれ結んだ状態としてもよい（図１２参照）。さらに、収納箱兼用マット１では、紐ストッパ３２が紐部材３１から脱落しないように、紐部材３１の両端部同士を結合させたような状態（例えば、紐部材３１の両端部同士を結んだ状態）にして紐部材３１を環状に構成して使用してもよい。
【符号の説明】
【００４３】
１    収納箱兼用マット
１１  底板部
１２  側板部
１３  連結部
１４  紐通し孔
２１  芯部材
２２  滑止め部材
２３  取っ手
３１  紐部材
３２  紐ストッパ
【図１】
0003172022.tif 000003
【図２】
0003172022.tif 000004
【図３】
0003172022.tif 000005
【図４】
0003172022.tif 000006
【図５】
0003172022.tif 000007
【図６】
0003172022.tif 000008
【図７】
0003172022.tif 000009
【図８】
0003172022.tif 000010
【図９】
0003172022.tif 000011
【図１０】
0003172022.tif 000012
【図１１】
0003172022.tif 000013
【図１２】
0003172022.tif 000014